(57)【要約】      （修正有）【課題】簡易な構造で、取付が簡単で、土等に埋もれにくく、仕切弁の開閉状態を一目で確認できる安価な開閉状態表示付仕切弁用キャップを提供する。【解決手段】弁棒を回転させる工具が嵌合する略四角柱状の工具嵌合部及び弁棒の上端が挿入されて互いに回転不能に連結される連結用穴を有するキャップ本体１３と、キャップ本体１３の上面１３ａに取り付けられ、仕切弁１の開閉状態を示す開閉状態表示部材１５とを設ける。キャップ本体１３の上面１３ａに仕切弁１の開閉状態を示す開閉状態表示文字１８を表示する。平面視略正方形のブロック形状の開閉状態表示部材１５の四角のうち一角を上面から下面にかけて切り欠いて切り欠き部１９を形成する。段付ネジ２０により、開閉状態表示部材１５をキャップ本体１３の上面１３ａに回転可能に取り付け、所定の位置に回転させることにより、平面視で開閉状態表示文字１８を目視可能とする。【選択図】図５
2007270879.tif 000002
【特許請求の範囲】
【請求項１】
仕切弁の弁箱内に昇降自在に設置された弁体を昇降させる弁棒の上端に被せる開閉状態表示付仕切弁用キャップにおいて、
上記弁棒を回転させる工具が嵌合する略四角柱状の工具嵌合部及び該弁棒の上端が挿入されて互いに回転不能に連結される連結用穴を有するキャップ本体と、
上記キャップ本体の上面に取り付けられ、上記仕切弁の開閉状態を示す開閉状態表示部材と、
上記開閉状態表示部材を上記キャップ本体の上面に回転可能に取り付ける段付ネジとを備え、
上記キャップ本体の上面には、その中心に上記段付ネジが締結されるネジ穴が形成されると共に、上記仕切弁の開閉状態を示す開閉状態表示文字が表示され、
上記開閉状態表示部材は、平面視略正方形のブロック形状を有し、その中心には、上記段付ネジが挿通されるネジ挿通孔が貫通形成されると共に、上面の四角のうち一角が下面に向けて切り欠かれ、該開閉状態表示部材を所定の位置に回転させることにより、平面視で上記開閉状態表示文字を目視可能とする切り欠き部を備えている
ことを特徴とする開閉状態表示付仕切弁用キャップ。
【請求項２】
仕切弁の弁箱内に昇降自在に設置された弁体を昇降させる弁棒の上端に被せた仕切弁用キャップの上からさらに被せる開閉状態表示付仕切弁用キャップにおいて、
上記弁棒を回転させる工具が嵌合する略四角柱状の工具嵌合部及び上記仕切弁用キャップの上端が挿入されて互いに回転不能に連結される連結用穴を有するキャップ本体と、
上記キャップ本体の上面に取り付けられ、上記仕切弁の開閉状態を示す開閉状態表示部材と、
上記開閉状態表示部材を上記キャップ本体の上面に回転可能に取り付ける段付ネジとを備え、
上記キャップ本体の上面には、その中心に上記段付ネジが締結されるネジ穴が形成されると共に、上記仕切弁の開閉状態を示す開閉状態表示文字が表示され、
上記開閉状態表示部材は、平面視略正方形のブロック形状を有し、その中心には、上記段付ネジが挿通されるネジ挿通孔が貫通形成されると共に、上面の四角のうち一角が下面に向けて切り欠かれ、該開閉状態表示部材を所定の位置に回転させることにより、平面視で上記開閉状態表示文字を目視可能とする切り欠き部を備えている
ことを特徴とする開閉状態表示付仕切弁用キャップ。
【請求項３】
請求項１又は２に記載の開閉状態表示付仕切弁用キャップにおいて、
上記開閉状態表示文字は、キャップ本体上面の一角に表示された閉じ表示と、他の一角に表示された開き表示とからなる
ことを特徴とする開閉状態表示付仕切弁用キャップ。
【請求項４】
請求項１乃至３のいずれか１つに記載の開閉状態表示付仕切弁用キャップにおいて、
上記キャップ本体と上記開閉状態表示部材との間には、該開閉状態表示部材を定位置に保持するためのずれ防止手段が設けられている
ことを特徴とする開閉状態表示付仕切弁用キャップ。
【発明の詳細な説明】
【技術分野】
【０００１】
本発明は、水道用等の仕切弁の弁棒上端に取り付けられる仕切弁用キャップに関し、特に仕切弁の開閉状態を表示する構造に関するものである。
【背景技術】
【０００２】
従来より、仕切弁の弁箱内に昇降自在に設置された弁体を昇降させる弁棒の上端に被せる仕切弁用キャップは知られている。
【０００３】
例えば、特許文献１では、弁箱と、流路開閉用弁体と、下端雄ネジ部が弁体の雌ネジ部に螺入された弁棒とを有し、該弁棒の上端に嵌着したキャップに組み込まれた開度計は、キャップ内に配設された歯数が１枚乃至数枚相違する同径同心状の一対の連動歯車と、キャップに設けられ、キャップの回転に連動して連動歯車を回転させる歯車機構と、キャップ７の上面に回転自在に配設され、各連動歯車にそれぞれ一体連結された同心状の一対の表示板とを有し、両表示板のうち、その一方に開度目盛が形成され、その他方に目盛用指針が形成されたものが開示されている。
【０００４】
特許文献２では、本体、回転板、開度表示板、偏心板の順に組み付けられるように構成され、本体は、外縁部に開度目盛表示部を、環状突縁の外周には外歯歯車を、下面には弁への取付部を形成し、内歯歯車を設けた回転板の上面に環状突起を形成し、この環状突起の外周に複数の突起部を突設し、これら突起部とそれぞれ緩く嵌合する切欠きを下面に欠設した開度表示板の上面に開度目盛表示部と共働して弁の開度を示す指標を設け、中心に弁棒貫通穴を有し、上面にこの弁棒に嵌合する弁キャップの固定部を、また下面に本体の中心穴に密嵌する突縁を形成した偏心板には、回転板の環状突起を嵌合させるカム状の回転板嵌め込部を形成したものが開示されている。
【特許文献１】特開平６−３２３４６５号公報
【特許文献２】特開平１０−３１８４２７号公報
【発明の開示】
【発明が解決しようとする課題】
【０００５】
しかしながら、従来の仕切弁用キャップでは、仕切弁の開度を判明することができるものの構造が複雑で製造にコストがかかると共に取付が容易ではなく、かつ、開度を表示する部分が上端のキャップ部分よりも下側にあるため、土等によって埋まりやすく、埋設後の開閉状態の確認が困難になる場合があるという問題があった。
【０００６】
本発明は、かかる点に鑑みてなされたものであり、その目的とするところは、簡易な構造を採用することにより、取付が簡単で、土等に埋もれにくく、仕切弁の開閉状態を一目で確認できる安価な開閉状態表示付仕切弁用キャップを提供することにある。さらに別の目的とするところは、既設の仕切弁にも容易に装着可能にすることにある。
【課題を解決するための手段】
【０００７】
上記の目的を達成するために、この発明では、開閉状態表示付仕切弁用キャップの上端に仕切弁の開閉状態を示す部材を取り付けた。
【０００８】
具体的には、第１の発明では、仕切弁の弁箱内に昇降自在に設置された弁体を昇降させる弁棒の上端に被せる開閉状態表示付仕切弁用キャップを前提とする。
【０００９】
上記開閉状態表示付仕切弁用キャップは、上記弁棒を回転させる工具が嵌合する略四角柱状の工具嵌合部及び該弁棒の上端が挿入されて互いに回転不能に連結される連結用穴とを有するキャップ本体と、
上記キャップ本体の上面に取り付けられ、上記仕切弁の開閉状態を示す開閉状態表示部材と、
上記開閉状態表示部材を上記キャップ本体の上面に回転可能に取り付ける段付ネジとを備え、
上記キャップ本体の上面には、その中心に上記段付ネジが締結されるネジ穴が形成されると共に、上記仕切弁の開閉状態を示す開閉状態表示文字が表示され、
上記開閉状態表示部材は、平面視略正方形のブロック形状を有し、その中心には、上記段付ネジが挿通されるネジ挿通孔が貫通形成されると共に、上面の四角のうち一角が下面に向けて切り欠かれ、該開閉状態表示部材を所定の位置に回転させることにより、平面視で上記開閉状態表示文字を目視可能とする切り欠き部を備えている。
【００１０】
上記の構成によると、開閉状態表示部材は、段付ネジによってキャップ本体上面に回転可能に取り付けられ、段付ネジを中心に回転されることにより、切り欠き部からキャップ本体上面に表示した開閉状態表示文字が目視可能となる。このため、仕切弁を地中に埋設する際に開閉状態表示部材を回転させて、現状の仕切弁の開閉状態を示す表示を露出させるようにしておくだけで、その後の工事等により仕切弁の開閉状態を知る必要があるときには、弁棒を回転させて仕切弁の開閉状態を確認しなくても、弁棒上端に取り付けた開閉状態表示付仕切弁用キャップの表示を見れば、開閉状態を確認することができる。また、開閉状態表示付仕切弁用キャップを弁棒の最も上端に取り付けているので、従来のものに比べて土等に埋もれ難く、開閉状態の確認作業が容易である。さらに、開閉状態表示部材を平面視略正方形のブロック形状とすることにより、開閉状態表示部材を開閉状態表示付仕切弁用キャップに取り付けたままで、工具を嵌合させて弁棒を回転させることができる。
【００１１】
第２の発明では、仕切弁の弁箱内に昇降自在に設置された弁体を昇降させる弁棒の上端に被せた仕切弁用キャップの上からさらに被せる開閉状態表示付仕切弁用キャップを前提とする。
【００１２】
上記開閉状態表示付仕切弁用キャップは、上記弁棒を回転させる工具が嵌合する略四角柱状の工具嵌合部及び上記仕切弁用キャップの上端が挿入されて互いに回転不能に連結される連結用穴を有するキャップ本体と、
上記キャップ本体の上面に取り付けられ、上記仕切弁の開閉状態を示す開閉状態表示部材と、
上記開閉状態表示部材を上記キャップ本体の上面に回転可能に取り付ける段付ネジとを備え、
上記キャップ本体の上面には、その中心に上記段付ネジが締結されるネジ穴が形成されると共に、上記仕切弁の開閉状態を示す開閉状態表示文字が表示され、
上記開閉状態表示部材は、平面視略正方形のブロック形状を有し、その中心には、上記段付ネジが挿通されるネジ挿通孔が貫通形成されると共に、上面の四角のうち一角が下面に向けて切り欠かれ、該開閉状態表示部材を所定の位置に回転させることにより、平面視で上記開閉状態表示文字を目視可能とする切り欠き部を備えている。
【００１３】
上記の構成によると、開閉状態表示部材は、段付ネジによってキャップ本体上面に回転可能に取り付けられ、段付ネジを中心に回転されることにより、切り欠き部からキャップ本体上面に表示した開閉状態表示文字が目視可能となる。このため、仕切弁を地中に埋設する際に開閉状態表示部材を回転させて、現状の仕切弁の開閉状態を示す表示を露出させるようにしておくだけで、その後の工事等により仕切弁の開閉状態を知る必要があるときには、弁棒を回転させて仕切弁の開閉状態を確認しなくても、弁棒上端に取り付けた開閉状態表示付仕切弁用キャップの表示を見れば、開閉状態を確認することができる。また、既設の開閉状態表示部材を有さない仕切弁の仕切弁用キャップの上から本発明の開閉状態表示付仕切弁用キャップを被せ、切り欠き部を仕切弁の開閉状態を示す開閉状態表示文字が露出する位置にしておくだけで、次に開閉状態を確認する際には、その確認が容易となる。さらに、開閉状態表示部材を平面視略正方形のブロック形状とすることにより、開閉状態表示部材を開閉状態表示付仕切弁用キャップに取り付けたままで、工具を嵌合させて弁棒を回転させることができる。また、開閉状態表示付仕切弁用キャップを弁棒の最も上端の既設の仕切弁用キャップの上から被せているので、従来のものに比べて土等に埋もれ難く、開閉状態の確認作業が容易である。
【００１４】
第３の発明では、上記開閉状態表示文字は、キャップ本体上面の一角に表示された閉じ表示と、他の一角に表示された開き表示とからなる。
【００１５】
上記の構成によると、開閉状態表示部材を回転させて、その切り欠き部によって閉じ表示が露出するようにすることで、仕切弁の閉じ状態が表示でき、開き表示が露出するようにすることで、仕切弁の開き状態が表示できる。いずれの場合も開閉状態表示部材の各角部と、キャップ本体の各角部とが一致するため、弁棒回転用の工具を嵌合させる際に開閉状態表示部材が邪魔とならない。
【００１６】
第４の発明では、上記キャップ本体と上記開閉状態表示部材との間には、該開閉状態表示部材を定位置に保持するためのずれ防止手段が設けられている。
【００１７】
上記の構成によると、仕切弁の埋設後に不可抗力により、開閉状態表示部材が回転して開閉状態表示文字が見えなくなるのが防止される。
【発明の効果】
【００１８】
以上説明したように、第１の発明によれば、開閉状態表示部材をキャップ本体の上面に回転可能に取り付け、開閉状態表示部材を所定の位置に回転させることにより、平面視で開閉状態表示文字を目視可能としている。このため、取付が簡単で、土等に埋もれにくく、仕切弁の開閉状態を一目で確認できる安価な開閉状態表示付仕切弁用キャップを提供することができる。
【００１９】
また、第２の発明によれば、開閉状態表示付仕切弁用キャップを既設の仕切弁用キャップの上側から回転可能に取り付け、開閉状態表示部材を所定の位置に回転させることにより、平面視で開閉状態表示文字を目視可能としている。このため、取付が簡単で、土等に埋もれにくく、仕切弁の開閉状態を一目で確認できる安価な開閉状態表示付仕切弁用キャップを提供することがきる。さらに、既設の仕切弁の仕切弁用キャップに容易に装着できるので、取付作業を極めて簡単かつ低コストで行える。
【発明を実施するための最良の形態】
【００２０】
以下、本発明の実施形態を図面に基づいて説明する。
【００２１】
（実施形態１）
図１は本発明の実施形態１の開閉状態表示付仕切弁用キャップ１０を備えた仕切弁１を示し、この仕切弁１は、弁箱２と、該弁箱２内に昇降自在に設置された弁体３と、弁体３を昇降させる弁棒４とを備えている。仕切弁１は、弁棒４の上端が道路側から目視できるような状態で道路内に埋設された水道用のものである。なお、本実施形態では、仕切弁１は、左開きのものの例を示すが、右開きのものであってもよい。
【００２２】
具体的には、上記弁箱２内には、流路５が形成され、上記弁体３が上下に昇降することで、流路５を閉じたり開いたりできるようになっている。上記弁棒４は、弁箱２に回転自在に取り付けられ、下端部に雄ネジ部４ａが形成されている。弁体３の上端内部には、雌ネジ部３ａが形成され、該雌ネジ部３ａに弁棒４の雄ネジ部４ａがネジ結合されるようになっている。このことで、弁棒４を回転させることで弁体３が上下に昇降され、流路５が閉じたり開いたりするようになっている。
【００２３】
上記弁棒４の上端には、開閉状態表示付仕切弁用キャップ１０が嵌合する略四角柱（厳密には、上面から下面にかけて若干広がる四角錐台）のキャップ取付部４ｂが形成されている。
【００２４】
図２及び図３に示すように、開閉状態表示付仕切弁用キャップ１０は、弁棒４を回転させる仕切弁開閉作業用工具５０（図１に示す）の先端が嵌合する略四角柱（厳密には、上面から下面にかけて若干広がる四角錐台）状の工具嵌合部１１と、弁棒４の上端が挿入されて互いに回転不能に連結される連結用穴１２とを有するキャップ本体１３を備えている。
【００２５】
上記キャップ本体１３の上面１３ａには、その中心に後述する段付ネジ２０が締結されるネジ穴１７が形成されている。キャップ本体１３の上面１３ａには、仕切弁１の開閉状態を示す開閉状態表示文字１８が表示されている。開閉状態表示文字１８は、キャップ本体１３の上面１３ａの一角に表示された閉じ表示Ｓと、他の一角に表示された開き表示Ｏとからなる。なお、本実施形態では、左開き用の仕切弁１について述べているため、キャップ本体１３は、その上下方向中間部に平面視円形のフランジ部１３ｂを有している。フランジ部１３ｂには、反時計回りに回転させると仕切弁１が開くことを示す回転方向表示２１が表されている。
【００２６】
図４乃至図６に示すように、上記キャップ本体１３の上面１３ａには、上記仕切弁１の開閉状態を示す開閉状態表示部材１５が回転可能に取り付けられている。具体的には、開閉状態表示部材１５は、平面視略正方形のブロック形状（厳密には、上面から下面にかけて若干広がる四角錐台形状）を有し、その中心にはネジ挿通孔１６が貫通形成されている。
【００２７】
このネジ挿通孔１６に段部２０ａを備えた段付ネジ２０が挿通され、その段部２０ａがキャップ本体１３の上面１３ａのネジ穴１７周縁に当接することで、開閉状態表示部材１５がキャップ本体１３の上面１３ａとの間に隙間ｔを形成することができるように、余裕を持ってキャップ本体１３に取り付けられている。このことで、開閉状態表示部材１５は、キャップ本体１３に対して容易に回転可能となっている。
【００２８】
上記開閉状態表示部材１５は、その上面の四角のうち一角が下面に向けて切り欠かれた切り欠き部１９を備えている。開閉状態表示部材１５を所定の位置に回転させることにより、切り欠き部１９から平面視で開閉状態表示文字１８を目視可能となっている。
【００２９】
−仕切弁用キャップの取付手順−
次に、本実施形態にかかる開閉状態表示付仕切弁用キャップ１０の取付手順について説明する。
【００３０】
まず、仕切弁１を開いた状態で埋設する場合には、まず、開閉状態表示付仕切弁用キャップ１０を取り付けた出荷状態の仕切弁１（通常、全閉状態にある）を埋設する。
【００３１】
次いで、仕切弁開閉作業用工具５０によって、開閉状態表示部材１５を備えた開閉状態表示付仕切弁用キャップ１０を左回り（反時計回り）に回動させることで、弁体３が上昇し、弁箱２内の流路５が開かれる。このとき、開閉状態表示部材１５は平面視略正方形のブロック形状であるため、開閉状態表示部材１５を開閉状態表示付仕切弁用キャップ１０に取り付けたままで、仕切弁開閉作業用工具５０を嵌合させて弁棒４を回転させることができる。
【００３２】
次いで、開閉状態表示部材１５をつまんで、切り欠き部１９が開閉状態表示文字１８の開き表示Ｏのところに来るように回転させる。
【００３３】
逆に、仕切弁１を閉じた状態で埋設する場合には、まず、出荷状態の仕切弁１を埋設する。
【００３４】
次いで、全閉で出荷されていない場合、仕切弁開閉作業用工具５０によって、開閉状態表示付仕切弁用キャップ１０を右回り（時計回り）に回動させることで、弁体３が下降し、弁箱２内の流路５が閉じられる。
【００３５】
次いで、開閉状態表示部材１５をつまんで、切り欠き部１９が開閉状態表示文字１８の閉じ表示Ｓのところに来るように回転させる（図５参照）。
【００３６】
このことで、将来、工事等により、仕切弁１の開閉状態を知りたいときには、地上から目視可能な弁棒４上端に取り付けた開閉状態表示付仕切弁用キャップ１０の表示を見るだけで、弁棒４を回転させて仕切弁１の開閉状態を確認しなくても、その開閉状態を確認することができる。
【００３７】
また、開閉状態表示付仕切弁用キャップ１０を最も上端のキャップ本体１３の上面１３ａに取り付けているので、従来のものに比べて土等に埋もれ難く、開閉状態の確認作業が容易である。
【００３８】
したがって、本実施形態にかかる開閉状態表示付仕切弁用キャップ１０によると、開閉状態表示部材１５をキャップ本体１３の上面１３ａに回転可能に取り付け、開閉状態表示部材１５を所定の位置に回転させることにより、平面視で開閉状態表示文字１８を目視可能としている。このため、取付が簡単で、土等に埋もれにくく、仕切弁１の開閉状態を一目で確認できる安価な開閉状態表示付仕切弁用キャップ１０を提供することができる。
【００３９】
（実施形態２）
図７は本発明の実施形態２を示し、既設の仕切弁用キャップ１２０の上から開閉状態表示付仕切弁用キャップ１１０を被せる点で上記実施形態１と異なる。なお、図１乃至図６と同じ部分については同じ符号を付してその詳細な説明は省略する。
【００４０】
上記既設の仕切弁用キャップ１２０は、ネジ穴１７が形成されていない点で上記実施形態１のキャップ本体１３と異なる。本実施形態のキャップ本体１１３は、仕切弁用キャップ１２０の上端の工具嵌合部１１１が挿入されて互いに回転不能に連結される連結用穴１１２を有している。上記キャップ本体１１３の中間部には、上記実施形態１のフランジ部１３ｂと同様のフランジ部１１３ｂが形成され、このフランジ部１１３ｂには、回転方向表示２１が表されている。なお、右開きのものであれば、フランジ部１１３ｂは設けなくてもよい。
【００４１】
上記キャップ本体１１３の上面１１３ａには、上記ネジ穴１７と同様のネジ穴１１７が形成されている。また、キャップ本体１１３の側面には、キャップ固定用ネジ穴１３０が形成されている。このキャップ固定用ネジ穴１３０にキャップ固定用ネジ１３１を締結して仕切弁用キャップ１２０の側面を押さえつけることで、開閉状態表示付仕切弁用キャップ１１０を固定するようになっている。
【００４２】
次に、本実施形態にかかる開閉状態表示付仕切弁用キャップ１１０の取付手順について、上記実施形態１と異なる部分について説明する。
【００４３】
まず、埋設状態の仕切弁１の開閉状態を確認する。
【００４４】
次いで、仕切弁用キャップ１２０の上端の工具嵌合部１１１に連結用穴１１２を嵌合させて嵌め込む。
【００４５】
次いで、キャップ固定用ネジ穴１３０にキャップ固定用ネジ１３１を挿入して締め付ける。
【００４６】
次に、その開閉状態を表すように、開閉状態表示部材１５をつまんで、切り欠き部１９が開閉状態表示文字１８の開き表示Ｏ又は閉じ表示Ｓのところに来るように回転させる。
【００４７】
したがって、本実施形態によると、既設の仕切弁用キャップ１２０の上から開閉状態表示付仕切弁用キャップ１１０を被せ、開閉状態表示部材１５をキャップ本体１１３の上面１１３ａに回転可能に取り付け、開閉状態表示部材１５を所定の位置に回転させることにより、平面視で開閉状態表示文字１８を目視可能としている。このため、取付が簡単で、土等に埋もれにくく、仕切弁１の開閉状態を一目で確認できる安価な開閉状態表示付仕切弁用キャップ１１０を提供することができる。さらに、既設の仕切弁１の仕切弁用キャップ１２０にも容易に装着できるので、取付作業を極めて簡単かつ低コストで行える。
【００４８】
（その他の実施形態）
本発明は、上記実施形態について、以下のような構成としてもよい。
【００４９】
すなわち、上記実施形態の開閉状態表示付仕切弁用キャップ１０のキャップ本体１３と開閉状態表示部材１５との間に、開閉状態表示部材１５を定位置に保持するためのずれ防止手段を設けてもよい。詳細は図示しないが、例えば、開閉状態表示部材１５の下面凹部に弾性部材を備えた押圧部材を挿入し、キャップ本体１３上面１３ａの定位置に該押圧部材下端が嵌合する嵌合用穴を設ければよい。このことで、弾性部材の付勢力により、押圧部材下端が嵌合用穴に嵌合した位置で、開閉状態表示部材１５が保持されるため、埋設後の不可抗力により開閉状態表示部材１５が回転して開閉状態表示文字１８が見えなくなるのを防止することができる。
【００５０】
ずれ防止手段は、単に開閉状態表示部材１５下面とキャップ本体１３上面１３ａとの間にゴムシートなどの摩擦抵抗の大きいシートを挟み込むだけのものでもよい。
【００５１】
上記実施形態では、開閉状態表示文字１８は、キャップ本体１３の上面１３ａの一角に表示された閉じ表示Ｓと、他の一角に表示された開き表示Ｏとからなるものとしたが、例えば、１／４開き状態や、１／２開き状態を示す開閉状態表示文字１８を他の角部にそれぞれ加えてもよい。このようにすることで、開いているか閉じているかのいずれかの表示だけでなく、仕切弁１の開閉度を表示することも可能となる。
【００５２】
上記実施形態では、水道用仕切弁１に使用する開閉状態表示付仕切弁用キャップ１０の例を示したが、例えば、水道用バタフライ弁、水道用空気弁、水道用地下式消火栓、水道用補修弁等の弁棒の先端に用いるキャップにも、本発明は適用可能である。
【００５３】
なお、以上の実施形態は、本質的に好ましい例示であって、本発明、その適用物や用途の範囲を制限することを意図するものではない。
【産業上の利用可能性】
【００５４】
以上説明したように、本発明は、水道用等の仕切弁の弁棒上端に取り付けられる仕切弁用キャップについて有用である。
【図面の簡単な説明】
【００５５】
【図１】本発明の実施形態１にかかる開閉状態表示付仕切弁用キャップを備えた仕切弁の全体を示す側方断面図である。
【図２】キャップ本体の平面図である。
【図３】キャップ本体の側面図である。
【図４】仕切弁用キャップの一部を拡大して示す斜視図である。
【図５】仕切弁用キャップの平面図である。
【図６】図５のVI−VI線断面図である。
【図７】実施形態２にかかる開閉状態表示付仕切弁用キャップの図６相当図である。
【符号の説明】
【００５６】
１      仕切弁
２      弁箱
３      弁体
４      弁棒
１０      開閉状態表示付仕切弁用キャップ
１１      工具嵌合部
１２      連結用穴
１３      キャップ本体
１３ａ    上面
１５      開閉状態表示部材
１６      ネジ挿通孔
１７      ネジ穴
１８      開閉状態表示文字
１９      切り欠き部
２０      段付ネジ
５０      仕切弁開閉作業用工具
１１０      開閉状態表示付仕切弁用キャップ
１１２      連結用穴
１１３      キャップ本体
１１３ａ    上面
１２０      仕切弁用キャップ
【図１】
2007270879.tif 000003
【図２】
2007270879.tif 000004
【図３】
2007270879.tif 000005
【図４】
2007270879.tif 000006
【図５】
2007270879.tif 000007
【図６】
2007270879.tif 000008
【図７】
2007270879.tif 000009